(57)【要約】【課題】  製品のコストを安くすることができ、または耐静電気強度を向上することができる反射形フォトインタラプタを提供する。【解決手段】発光チップ１と、受光チップ２と、これら発光素子および受光素子がマウントされているフレーム４と、発光チップ１、受光チップ２およびフレーム４の発光素子マウント部位および受光素子マウント部位を覆う透過性樹脂からなる発光側１次モールド部５ａおよび受光側１次モールド部５ｂと、発光チップ１表面および受光チップ２表面を除いてフレーム４のほぼ全体を覆う非透過性樹脂からなる２次モールド部６とを備えており、フレーム４の一端部にコネクタ用のピンとして機能する部位が２次モールド部６と一体に設けられている。【選択図】  図１
2005259877.tif 000002
【特許請求の範囲】
【請求項１】
発光素子と、受光素子と、これら発光素子および受光素子がマウントされているフレームと、発光素子、受光素子およびフレームの発光素子マウント部位および受光素子マウント部位を覆う透過性樹脂からなる１次モールド部と、発光素子表面および受光素子表面を除いて前記フレームのほぼ全体を覆う非透過性樹脂からなる２次モールド部とを備えてなる反射形フォトインタラプタにおいて、
前記フレームの一端部にコネクタ用のピンとして機能する部位が設けられていることを特徴とする反射形フォトインタラプタ。
【請求項２】
前記２次モールド部の一端部が、コネクタのハウジングとして機能する形状に形成されている請求項１に記載の反射形フォトインタラプタ。
【請求項３】
前記２次モールド部の下面側から２次モールド部と嵌合する裏蓋ケースが取り付けられており、この裏蓋ケースの一端部がコネクタのハウジングとして機能する形状に形成されている請求項１に記載の反射形フォトインタラプタ。
【請求項４】
前記フレームが、発光素子および受光素子をマウントする部位よりもコネクタ用のピンとして機能する部位の方が厚さが厚くなるように形成されている請求項１に記載の反射形フォトインタラプタ。
【請求項５】
前記フレームが、コネクタ用のピンとして機能する部位が折り返されて厚さが厚くなるように形成されている請求項１に記載の反射形フォトインタラプタ。
【請求項６】
発光素子と、受光素子と、これら発光素子および受光素子がマウントされているフレームと、発光素子、受光素子およびフレームの発光素子マウント部位および受光素子マウント部位を覆う透過性樹脂からなる１次モールド部と、発光素子表面および受光素子表面を除いて前記フレームのほぼ全体を覆う非透過性樹脂からなる２次モールド部とを備えてなる反射形フォトインタラプタにおいて、
前記フレームの発光素子および受光素子がマウントされる面であって前記２次モールド部で覆われていない領域については前記１次モールド部によって完全に覆われているとともに、前記発光素子と前記受光素子との間に設けられた遮蔽壁の下部の領域についても前記１次モールド部によって完全に覆われていることを特徴とする反射形フォトインタラプタ。
【請求項７】
発光素子と、受光素子と、これら発光素子および受光素子がマウントされているフレームと、発光素子、受光素子およびフレームの発光素子マウント部位および受光素子マウント部位を覆う透過性樹脂からなる１次モールド部と、発光素子表面および受光素子表面を除いて前記フレームのほぼ全体を覆う非透過性樹脂からなる２次モールド部とを備えてなる反射形フォトインタラプタにおいて、
前記フレームの発光素子および受光素子がマウントされる面であって前記１次モールド部で覆われていない領域については前記２次モールド部によって完全に覆われていることを特徴とする反射形フォトインタラプタ。
【請求項８】
発光素子と、受光素子と、これら発光素子および受光素子がマウントされているフレームと、発光素子、受光素子およびフレームの発光素子マウント部位および受光素子マウント部位を覆う透過性樹脂からなる１次モールド部と、発光素子表面および受光素子表面を除いて前記フレームのほぼ全体を覆う非透過性樹脂からなる２次モールド部とを備えてなる反射形フォトインタラプタにおいて、
発光素子、受光素子およびレンズホルダーの上部全面を覆う透過性樹脂からなるケースが配置されていることを特徴とする反射形フォトインタラプタ。
【請求項９】
発光素子と、受光素子と、これら発光素子および受光素子がマウントされているフレームと、発光素子、受光素子およびフレームの発光素子マウント部位および受光素子マウント部位を覆う透過性樹脂からなる１次モールド部と、発光素子表面および受光素子表面を除いて前記フレームのほぼ全体を覆う非透過性樹脂からなる２次モールド部とを備えてなる反射形フォトインタラプタにおいて、
発光素子および受光素子の上部全面を覆い、発光用および受光用の２つのレンズを備えた非透過性樹脂からなるケースが配置されていることを特徴とする反射形フォトインタラプタ。
【発明の詳細な説明】
【技術分野】
【０００１】
本発明は、光を放射する発光素子と、この光を集光する発光側レンズと、集光された光が検出物に照射されることにより生じた反射光を集光する受光側レンズと、この集光された反射光を受光する受光素子とを備えている反射形フォトインタラプタに関する。
【背景技術】
【０００２】
従来の反射形フォトインタラプタについて図１２を参照しつつ説明する。
【０００３】
図１２は従来の反射形フォトインタラプタの一例を示す断面図である。
【０００４】
この反射形フォトインタラプタは、フレーム１０４の上に、発光素子としてＬＥＤ（Ｌｉｇｈｔ  Ｅｍｉｔｔｉｎｇ  Ｄｉｏｄｅ）チップ１０１がマウントされ、かつ、受光素子としてＯＰＩＣ（シャープ株式会社製の光半導体素子（Ｏｐｔｉｃａｌ  ＩＣ）の登録商標）チップ１０２がマウントされ、これらＬＥＤチップ１０１およびＯＰＩＣチップ１０２は透過性の樹脂を用いて１次モールドされることによって、それぞれ発光側１次モールド１０５ａ部と受光側１次モールド部１０５ｂとで覆われている。また、これら発光側１次モールド部１０５ａおよび受光側１次モールド部１０５ｂの上面には球面状の凸部が形成されており、これら凸部が発光側レンズまたは受光側レンズの役割を担っている。なお、金線１０３ａはＬＥＤチップ１０１とフレーム１０４の所定の部位とを電気的に接続しており、金線１０３ｂ，１０３ｃはＯＰＩＣチップ１０２とフレーム１０４の所定の部位とを電気的に接続している（例えば、特許文献１参照）。
【０００５】
さらに、反射形フォトインタラプタは、非透過性を備えかつ耐強度のある樹脂を用いて、インサート成型で２次モールドを実施することにより形成された２次モールド部１０６を備えており、この２次モールド部１０６形成後に、レンズホルダー１１０が、２次モールド部１０６と嵌合して組み込まれている。このレンズホルダー１１０は、発光側レンズおよび受光側レンズの上方に配置されている。なお、このレンズホルダー１１０には発光用および受光用の２つのレンズが筐体に一体で樹脂成型されている。
【０００６】
続いて、このような反射形フォトインタラプタに、チップ部品、コネクタおよび裏蓋ケースを取り付ける手順について説明する。
【０００７】
図１３は、従来の反射形フォトインタラプタに付属部品を取り付ける過程の一例を示す説明図であり、図１３（ａ）は、付属部品取り付け中の反射形フォトインタラプタを示す斜視図、図１３（ｂ）は、付属部品取り付け中の反射形フォトインタラプタを示す正面図、図１３（ｃ）は、反射形フォトインタラプタに取り付けられるコネクタと裏蓋ケースとを示す側面図である。なお、図１３（ｂ）では、発光側一次モールド部１０５ａおよび受光側１次モールド部１０５ｂを分かり易く示すために、２次モールド部１０６およびレンズホルダー１１０については、外形のみを破線を用いて示しており、図１３（ｃ）では、コネクタおよび裏蓋ケースをより明確に示すために反射形フォトインタラプタが図示されていない。
【０００８】
図示されているように、フレーム１０４の下面の一部分は２次モールド部１０６に覆われておらず露出した状態になっている。そして、図１３（ｂ）において紙面右側に図示されている露出部１０４ａには２個のチップ１０７，１０８がはんだ付けされており、紙面左側に図示されている露出部１０４ｂにはコネクタ１０９がはんだ付けされている。さらに、樹脂の成型品である裏蓋ケース１１１が、２次モールド部１０６の下面側から２次モールド部１０６と嵌合して組み込まれている。
【０００９】
このような構成を有する反射形フォトインタラプタを用いて検出物の検知を行った場合、まず、フレーム１０４上の発光素子（ＬＥＤチップ１０１）から放射された光が、発光側１次モールド部１０５ａの発光側レンズおよびレンズホルダー１１０のレンズにより集光され検出物に照射される。そして、検出物からの反射光が、レンズホルダー１１０のレンズおよび受光側１次モールド部１０５ｂの受光側レンズにより集光されてフレーム１０４上の受光素子（ＯＰＩＣチップ１０２）に受光される。その後、反射光の光量と閾値とを比較することによりロジック判定され、Ｈ／Ｌの信号が、コネクタ１０９を通じて出力される。
【００１０】
なお、発光素子（ＬＥＤチップ１０１）と受光素子（ＯＰＩＣチップ１０２）との間には、発光素子の光が受光素子に直接入らないように遮蔽壁１０６ａ（図１２参照）が設けられており、この遮蔽壁１０６ａは、非透過性の樹脂を用いて２次モールド部１０６を成型する際に一体成型される。
【特許文献１】特開平８−１３０３２５号公報
【発明の開示】
【発明が解決しようとする課題】
【００１１】
ところで、従来の反射形フォトインタラプタは上記のような構造を有しているため、はんだ付けにより取り付けられるコネクタが必要であり、使用部品としてコネクタ単品の費用と、コネクタをはんだ付けする工賃（３箇所分の工賃）とが製造原価に含まれてしまう。その結果、これら費用や工賃が、反射形フォトインタラプタの製品コストの低減を図る上で一つの大きな阻害要因となっていた。
【００１２】
さらに、従来の反射形フォトインタラプタは上記のような構造を有しているため、単独部品として、レンズホルダーや裏蓋ケースが必要であり、それぞれの部品費用と、部品の組み込み工賃とが製品のコストに含まれてしまう。その結果、これら費用や工賃が、やはりコストの低減を図る上で阻害要因となっていた。
【００１３】
また、反射形フォトインタラプタに関し、従来の形状では、複写機やプリンタ等の機器に実装されたとき、物の検出を実施するにあたって光の通路として開かれた空間が確保されているが、機器の稼動時に、この空間を通して静電気が機器の部材から反射形フォトインタラプタのフレームに飛ぶ可能性がある。これは、フレーム上の、発光素子や受光素子であるチップがマウントされている部位周辺において、フレーム自体に金属部が剥き出しになっており絶縁されていない箇所があることと、１次モールド部や２次モールド部とレンズホルダーとの間に組み立て上の隙間があることとが相まって、静電気が飛ぶ道すじができてしまうといった問題があった。
【００１４】
本発明は係る実情に鑑みてなされたもので、その目的は、製品のコストを安くすることができる、または耐静電気強度を向上することができる反射形フォトインタラプタを提供することにある。
【課題を解決するための手段】
【００１５】
上記課題を解決するため、本発明の反射形フォトインタラプタは、発光素子と、受光素子と、これら発光素子および受光素子がマウントされているフレームと、発光素子、受光素子およびフレームの発光素子マウント部位および受光素子マウント部位を覆う透過性樹脂からなる１次モールド部と、発光素子表面および受光素子表面を除いて前記フレームのほぼ全体を覆う非透過性樹脂からなる２次モールド部とを備えてなる反射形フォトインタラプタにおいて、前記フレームの一端部にコネクタ用のピンとして機能する部位が設けられていることを特徴としている。このような構成とすれば、製品コストを低減することができる。
【００１６】
この場合、前記２次モールド部の一端部が、コネクタのハウジングとして機能する形状に形成されているものであってもよい。また、前記２次モールド部の下面側から２次モールド部と嵌合する裏蓋ケースが取り付けられており、この裏蓋ケースの一端部が、コネクタのハウジングとして機能する形状に形成されているものであってもよい。このような構成とすれば、コネクタを取り付ける作業や別部品としてのコネクタ自体が不要となる。
【００１７】
また、前記フレームは、発光素子および受光素子をマウントする部位よりもコネクタ用のピンとして機能する部位の方が厚さが厚くなるように形成されている。この場合、厚さが厚くなるように形成する方法としては、フレームのうちコネクタ用のピンとして機能する部位を折り返すことによって厚さが厚くなるように形成してもよい。
【００１８】
また、本発明の反射形フォトインタラプタは、発光素子と、受光素子と、これら発光素子および受光素子がマウントされているフレームと、発光素子、受光素子およびフレームの発光素子マウント部位および受光素子マウント部位を覆う透過性樹脂からなる１次モールド部と、発光素子表面および受光素子表面を除いて前記フレームのほぼ全体を覆う非透過性樹脂からなる２次モールド部とを備えてなる反射形フォトインタラプタにおいて、前記フレームの発光素子および受光素子がマウントされる面であって前記２次モールド部で覆われていない領域については前記１次モールド部によって完全に覆われているとともに、前記発光素子と前記受光素子との間に設けられた遮蔽壁の下部の領域についても前記１次モールド部によって完全に覆われていることを特徴としている。このように１次モールド部によって完全に覆うことにより、耐静電気強度を向上することができ、複写機やプリンタ等といった機器内部で静電気が発生しやすい環境においても反射形フォトインタラプタを使用することができる。
【００１９】
また、本発明の反射形フォトインタラプタは、発光素子と、受光素子と、これら発光素子および受光素子がマウントされているフレームと、発光素子、受光素子およびフレームの発光素子マウント部位および受光素子マウント部位を覆う透過性樹脂からなる１次モールド部と、発光素子表面および受光素子表面を除いて前記フレームのほぼ全体を覆う非透過性樹脂からなる２次モールド部とを備えてなる反射形フォトインタラプタにおいて、発光素子、受光素子およびレンズホルダーの上部全面を覆う透過性樹脂からなるケースが配置されていることを特徴としている。このようにケースによって覆うことにより、耐静電気強度を向上することができ、複写機やプリンタ等といった機器内部で静電気が発生しやすい環境においても反射形フォトインタラプタを使用することができる。
【００２０】
また、本発明の反射形フォトインタラプタは、  発光素子と、受光素子と、これら発光素子および受光素子がマウントされているフレームと、発光素子、受光素子およびフレームの発光素子マウント部位および受光素子マウント部位を覆う透過性樹脂からなる１次モールド部と、発光素子表面および受光素子表面を除いて前記フレームのほぼ全体を覆う非透過性樹脂からなる２次モールド部とを備えてなる反射形フォトインタラプタにおいて、発光素子および受光素子の上部全面を覆い、発光用および受光用の２つのレンズを備えた非透過性樹脂からなるケースが配置されていることを特徴としている。このようにケースによって覆うことにより、耐静電気強度を向上することができ、複写機やプリンタ等といった機器内部で静電気が発生しやすい環境においても反射形フォトインタラプタを使用することができる。
【発明の効果】
【００２１】
本発明の反射形フォトインタラプタによれば、フレームの一端部にコネクタ用のピンとして機能する部位を直接設けた構成としたので、コネクタを取り付ける作業や別部品としてのコネクタが不要となり、製品コストの低減を図ることができる。
【００２２】
また、前記２次モールド部の一端部をコネクタのハウジングとして機能する形状に形成したので、コネクタを取り付ける作業や別部品としてのコネクタ自体が不要になる。
【００２３】
また、前記２次モールド部の下面側から２次モールド部と嵌合する裏蓋ケースを取り付けるとともに、この裏蓋ケースの一端部をコネクタのハウジングとして機能する形状に形成したので、コネクタを取り付ける作業や別部品としてのコネクタ自体が不要になる。
【００２４】
また、前記フレームを、発光素子および受光素子をマウントする部位よりもコネクタ用のピンとして機能する部位の方が厚さが厚くなるように形成したので、コネクタのピンとして機能できる程度に充分な強度を得ることができる。
【００２５】
また、前記フレームを、コネクタ用のピンとして機能する部位を折り返すことによって厚さが厚くなるように形成したので、コネクタのピンとして機能できる程度に充分な強度を得ることができる。
【００２６】
また、本発明の反射形フォトインタラプタによれば、フレームの発光素子および受光素子がマウントされる面であって２次モールド部で覆われていない領域については１次モールド部によって完全に覆われているとともに、発光素子の光が受光素子に直接入らないように設けられた遮蔽壁の下部の領域についても１次モールド部によって完全に覆われた構造としたので、耐静電気強度を向上することができ、複写機やプリンタ等といった機器内部で静電気が発生しやすい環境においても反射形フォトインタラプタを使用することができる。そのため、反射形フォトインタラプタの用途を拡大でき、利用範囲を増やすことができるといった効果を奏する。
【００２７】
また、本発明の反射形フォトインタラプタによれば、フレームの発光素子および受光素子がマウントされる面であって１次モールド部で覆われていない領域については２次モールド部によって完全に覆われた構造としたので、耐静電気強度を向上することができ、複写機やプリンタ等といった機器内部で静電気が発生しやすい環境においても反射形フォトインタラプタを使用することができる。そのため、反射形フォトインタラプタの用途を拡大でき、利用範囲を増やすことができるといった効果を奏する。
【００２８】
また、本発明の反射形フォトインタラプタによれば、発光素子、受光素子およびレンズホルダーの上部全面を覆うケースを配置したので、耐静電気強度を向上することができ、複写機やプリンタ等といった機器内部で静電気が発生しやすい環境においても反射形フォトインタラプタを使用することができる。そのため、反射形フォトインタラプタの用途を拡大でき、利用範囲を増やすことができるといった効果を奏する。
【００２９】
また、本発明の反射形フォトインタラプタによれば、発光素子および受光素子の上部全面を覆うように、発光用および受光用の２つのレンズを備えたケースを配置したので、耐静電気強度を向上することができ、複写機やプリンタ等といった機器内部で静電気が発生しやすい環境においても反射形フォトインタラプタを使用することができる。そのため、反射形フォトインタラプタの用途を拡大でき、利用範囲を増やすことができるといった効果を奏する。
【発明を実施するための最良の形態】
【００３０】
以下、本発明の実施の形態について、図面を参照して説明する。
【実施例１】
【００３１】
以下、本発明の一実施例を図面を参照して説明する。
【００３２】
図１は、本発明の反射形フォトインタラプタの実施例１を示す斜視図であり、図２は、図１に示す反射形フォトインタラプタのＡ−Ａ線断面図である。
【００３３】
この反射形フォトインタラプタは、発光素子としての発光チップ１と、受光素子として受光チップ２と、発光チップ１および受光チップ２がマウントされているフレーム４と、発光チップ１とフレーム４の所定の部位とを電気的に接続する金線３ａと、受光チップ２とフレーム４の所定の部位とを電気的に接続する２本の金線３ｂ，３ｃと、透過性の樹脂を用いた１次モールドを実施することによって形成され、発光チップ１表面、受光チップ２表面、ならびにフレーム４の発光チップ１マウント部位および受光チップ２マウント部位を覆う発光側１次モールド部５ａおよび受光側１次モールド部５ｂと、非透過性を備えかつ耐強度のある樹脂を用いてインサート成型で２次モールドを実施することにより形成された２次モールド部６とを備えている。なお、発光側１次モールド部５ａおよび受光側１次モールド部５ｂの上面にはそれぞれ球面状の凸部が形成されており、これら凸部が発光側レンズまたは受光側レンズの役割を担っている。
【００３４】
本実施例の反射形フォトインタラプタは、フレーム４のコネクタ側端部に、コネクタ用のピンとして機能する部位４ａ，４ｂ，４ｃが設けられており、さらに、２次モールド部６がコネクタ一体型のモールド部となっている点で従来の反射形フォトインタラプタと異なっている。即ち、２次モールド部６は、フレームを保持し、反射形フォトインタラプタの外形およびコネクタを形成するものであるとともに、成型時に、そのコネクタ側端部６ａがコネクタのハウジングとして機能する形状に形成されている。
【００３５】
本実施例の反射形フォトインタラプタは、このような構成を有しているため、コネクタおよび裏蓋ケースが不要となるとともに、反射形フォトインタラプタにコネクタおよび裏蓋ケースを取り付ける必要がない。
【００３６】
また、この反射形フォトインタラプタには、２次モールド部６形成後に、レンズホルダー１０が２次モールド部６と嵌合して組み込まれており、このレンズホルダー１０は発光側レンズおよび受光側レンズの上方に配置されている。なお、このレンズホルダー１０にはレンズが一体で樹脂成型されている。
【実施例２】
【００３７】
以下、本発明の他の実施例を図面を参照して説明する。
【００３８】
図３は、本発明の反射形フォトインタラプタの実施例２を示す断面図であり、図４は、図３に示す反射形フォトインタラプタに裏蓋ケースを取り付ける過程を示す斜視図である。
【００３９】
本実施例の反射形フォトインタラプタは、２次モールド部６を裏蓋ケース１１に嵌め込むことで反射形フォトインタラプタの外形を形成しているとともに、裏蓋ケース１１のコネクタ側端部１１ａがコネクタのハウジングとして機能する形状に形成されている点で前述の実施例１の反射形フォトインタラプタと異なっている。
【００４０】
本実施例の反射形フォトインタラプタは、このような構成を有しているため、コネクタが不要となるとともに、反射形フォトインタラプタにコネクタを取り付ける必要がない。
【００４１】
なお、図４に示す裏蓋ケースには、図５に示すように、その底面に複数のフック１１ｂを一体成型してもよい。この場合、裏蓋ケースは弾力性を備えた樹脂を用いて成型されており、反射形フォトインタラプタを機器に取り付ける際にこのフック１１ｂを用いて容易に取り付け作業を実施することができる。このような構成は、２次モールド部６を成型する際に使用する樹脂が堅くてフック方式を実現することができないときに有効である。
【００４２】
また、実施例１および実施例２に示す反射形フォトインタラプタを構成するフレームの一例として、図６に示すフレームがある。
【００４３】
図６は、本発明の反射形フォトインタラプタを構成するフレームの一例を示す説明図であり、図６（ａ）はフレームの上面図、図６（ｂ）はフレームの側面図である。
【００４４】
従来の反射形フォトインタラプタを構成するフレーム１０４は、フレーム１０４の上面図である図１４（ａ）に示すように、コネクタ側端部（図１４（ａ）においては右側端部）には、コネクタのピンは形成されておらず、さらに、フレーム１０４の側面図である図１４（ｂ）に示すように、一枚のフレーム１０４の中で厚さは一定になっている。
【００４５】
これに対し、本例のフレーム４は、図６（ａ）に示すように、コネクタ側端部（図６（ａ）においては右側端部）に、コネクタのピン４ａ，４ｂ，４ｃが一体で形成されており、さらに、図６（ｂ）に示すように、フレーム４は、1枚のフレーム４の中で、その部分部分で厚さを変えて形成された差厚フレーム形状となっている。フレーム４の厚さについてさらに詳しく説明すると、発光チップや受光チップをマウントする部位とコネクタ側端部とで厚みを変えて形成されている。例えば、フレーム４のうちコネクタ側端部の厚さは、コネクタのピンとして使用できるよう、０．５〜０．６ｍｍの厚さになっており、また、発光チップや受光チップをマウントする側端部は０．２〜０．３ｍｍの厚さになっている。
【００４６】
さらにまた、実施例１および実施例２に示す反射形フォトインタラプタを構成するフレームの他の例として、図７に示すフレームがある。
【００４７】
図７は、本発明の反射形フォトインタラプタを構成するフレームの他の例を示す説明図であり、図７（ａ）はフレームの上面図、図７（ｂ）はフレームの側面図、図７（ｃ）はコネクタ側端部を折り返して成形した後の状態を示すフレームの側面図である。
【００４８】
本例のフレーム４は、従来の反射形フォトインタラプタを構成するフレーム１０４と同様に一枚のフレーム４として見たときには厚さが一定になっており、かつ、コネクタのピン４ａ，４ｂ，４ｃとして使用される部分（コネクタ用のピンとして機能する部位）が、ピンとして機能するのに必要な長さの２倍程度の長さに形成されている。そして、成形時または成形後に、この部分を長さ方向の中央部で折り返すことにより、他の部分より厚さが厚くなるように形成している。例えば、厚さ０．２〜０．３ｍｍのフレーム４のコネクタ側端部を折り返すことにより、０．５〜０．６ｍｍの厚さのピン４ａ，４ｂ，４ｃが形成されている。
【実施例３】
【００４９】
以下、本発明の他の実施例を図面を参照して説明する。
【００５０】
図８は、本発明の反射形フォトインタラプタの実施例３を示す断面図である。
【００５１】
従来の反射形フォトインタラプタは、図１５に示すように、レンズホルダー１１０が２次モールド部１０６と嵌合しているが、発光側１次モールド部１０５ａおよび受光側１次モールド部１０５ｂと中央の遮光壁１０６ａとの間（図中、Ｐ１０１，Ｐ１０２で示す箇所）には隙間が存在する場合がある。また、レンズホルダー１１０の長手方向（図中、左右方向）の両端部Ｐ１０３，Ｐ１０４には、わずかではあるが、嵌合による隙間ができてしまう場合がある。
【００５２】
また、フレーム１０４に関して、特に光学系に関与する発光素子（ＬＥＤチップ１０１）と受光素子（ＯＰＩＣチップ１０２）とがマウントされる面（モジュール上面）については、レンズを形成するとともに発光素子および受光素子を覆う発光側１次モールド部１０５ａおよび受光側１次モールド部１０５ｂ、ならびに２次モールド部１０６で覆われている部分が多いが、完全には樹脂で被覆されていない。そのため、フレームのモジュール上面とレンズホルダー１１０周辺の隙間とが空間的につながってしまっている。
【００５３】
その結果、モジュール上面（即ち、反射形フォトインタラプタの上方）から静電気が印可された場合、前述した隙間により静電気がフレーム１０４に落ちてしまう可能性がある。
【００５４】
これに対し、本実施例のフォトインタラプタでは、図８に示すようにフレーム４のモジュール上面のうち、発光側１次モールド部１０５ａおよび受光側１次モールド部１０５ｂの間についても、１次モールドを実施する際に樹脂で覆っている。そのため、発光側１次モールド部１０５ａおよび受光側１次モールド部１０５ｂは一体で形成（図８においては１次モールド部５として図示）されている。この１次モールド部５は、フレーム４のモジュール上面のうち２次モールド部６で覆われていない領域を完全に覆っているとともに、遮蔽壁６ａ下部をも覆っている。
【００５５】
このような構成を有しているため、本実施例の反射形フォトインタラプタによれば、耐静電気強度を向上することができる。その結果、複写機やプリンタ等といった機器内部で静電気が発生しやすい環境においても反射形フォトインタラプタを使用することができるようになるため、反射形フォトインタラプタの用途を拡大でき、利用範囲を増やすことができる。
【実施例４】
【００５６】
以下、本発明の他の実施例を図面を参照して説明する。
【００５７】
図９は、本発明の反射形フォトインタラプタの実施例４を示す断面図である。
【００５８】
本実施例の反射形フォトインタラプタは、前述の実施例３の反射形フォトインタラプタと同様に、耐静電気強度の向上を目的としたものである。
【００５９】
本実施例の反射形フォトインタラプタは、発光側１次モールド部５ａおよび受光側１次モールド部５ｂの形状は従来の反射形フォトインタラプタの発光側１次モールド部および受光側１次モールド部と同様の形状であり、モールド上面において、発光側１次モールドａ部および受光側１次モールド部５ｂの側面および上面端部が遮蔽壁６ａによって覆われている（少なくとも、モールド上面のうち１次モールド部で覆われていない領域については２次モールド部によって完全に覆われている）といった点で前述の実施例３の反射形フォトインタラプタと異なっている。
【００６０】
即ち、本実施例の反射形フォトインタラプタによれば、２次モールド部６の遮蔽壁６ａを発光側１次モールド部１０５ａおよび受光側１次モールド部１０５ｂの上面端部まで覆う幅に形成することによって、発光側１次モールド部５ａおよび受光側１次モールド部５ｂと遮光壁６ａとの間に存在していた隙間を塞ぐことができ、その結果、前述の実施例３の反射形フォトインタラプタと同様の効果が得られる。
【実施例５】
【００６１】
以下、本発明の他の実施例を図面を参照して説明する。
【００６２】
図１０は、本発明の反射形フォトインタラプタの実施例５を示す斜視図である。
【００６３】
本実施例の反射形フォトインタラプタは、成型品であるケース１２が、発光チップ、受光チップおよびレンズホルダー１０の上部全面を覆うように配置されている点で従来の反射形フォトインタラプタと異なっている。
【００６４】
このケース１２は、例えば、発光チップ、受光チップおよびレンズホルダー１０の上部全面を覆う平板形状の上面被覆部材１２ａと、この上面被覆部材１２ａの２つの長辺から下方向にそれぞれ延設された平板形状の側面被覆部材１２ｂ，１２ｃとからなる。
【００６５】
このケース１２は、透過性の樹脂を用いて形成されている。また、このケース１２はコネクタ９および裏蓋ケース１１を反射形フォトインタラプタに取り付ける際に同時に取り付けられる。取り付け手順としては、まず、コネクタ９を２次モールド部６のフレームに取り付けて発光素子および受光素子と電気的に接続した後、その全体を裏蓋ケース１１に嵌合固定し、この後、上方よりケース１２を嵌合固定する。
【００６６】
このような構成を有しているため、本実施例の反射形フォトインタラプタによれば、ケース１２によって外部の空間とフレームとを電気的に隔絶させることができ、耐静電気強度を向上させることができる。その結果、前述の実施例３の反射形フォトインタラプタと同様の効果が得られる。
【実施例６】
【００６７】
以下、本発明の他の実施例を図面を参照して説明する。
【００６８】
図１１は、本発明の反射形フォトインタラプタの実施例６を示す斜視図である。
【００６９】
本実施例の反射形フォトインタラプタは、レンズホルダー１０の代わりに、２つのレンズ２２ａ，２２ｂを備えた成型品であるケース２２が、発光チップおよび受光チップの上部全面を覆うように配置されている点で従来の反射形フォトインタラプタと異なっている。
【００７０】
このケース２２は、例えば、発光チップおよび受光チップの上部全面を覆い、２つのレンズ２２ａ，２２ｂを備えた平板形状の上面被覆部材２２ｃと、この上面被覆部材２２ｃの２つの長辺から下方向にそれぞれ延設された平板形状の側面被覆部材２２ｄ，２２ｅとからなる。このケース２２は、非透過性の樹脂を用いて形成されている。また、このケース２２は、前述の実施例５と同様の手順で２次モールド部６に固定されている。
【００７１】
このような構成を有しているため、本実施例の反射形フォトインタラプタによれば、ケース２２によって外部の空間とフレームとを電気的に隔絶させることができ、耐静電気強度を向上させることができる。その結果、前述の実施例３の反射形フォトインタラプタと同様の効果が得られる。さらに、レンズホルダーの代わりにケースを用いているため、反射形フォトインタラプタに取り付けられる部品点数の増加を防止することができる。
【産業上の利用可能性】
【００７２】
本発明の反射形フォトインタラプタは、複写機やプリンタ等といった機器において活用できる。
【図面の簡単な説明】
【００７３】
【図１】本発明の反射形フォトインタラプタの実施例１を示す斜視図である。
【図２】図１に示す反射形フォトインタラプタのＡ−Ａ線断面図である。
【図３】本発明の反射形フォトインタラプタの実施例２を示す断面図である。
【図４】図３に示す反射形フォトインタラプタに裏蓋ケースを取り付ける過程を示す斜視図である。
【図５】図３に示す反射形フォトインタラプタにフック付きの裏蓋ケースを取り付ける過程を示す斜視図である。
【図６】本発明の反射形フォトインタラプタを構成するフレームの一例を示す説明図である。
【図７】本発明の反射形フォトインタラプタを構成するフレームの他の例を示す説明図である。
【図８】本発明の反射形フォトインタラプタの実施例３を示す断面図である。
【図９】本発明の反射形フォトインタラプタの実施例４を示す断面図である。
【図１０】本発明の反射形フォトインタラプタの実施例５を示す斜視図である。
【図１１】本発明の反射形フォトインタラプタの実施例６を示す斜視図である。
【図１２】従来の反射形フォトインタラプタの一例を示す断面図である。
【図１３】従来の反射形フォトインタラプタに付属部品を取り付ける過程の一例を示す説明図である。
【図１４】従来の反射形フォトインタラプタを構成するフレームの一例を示す上面図である。
【図１５】従来の反射形フォトインタラプタの他の例を示す断面図である。
【符号の説明】
【００７４】
１                発光チップ
２                受光チップ
３ａ，３ｂ，３ｃ  金線
４                フレーム
５ａ              発光側１次モールド部
５ｂ              受光側１次モールド部
６                ２次モールド部
６ａ              遮蔽壁
１０              レンズホルダー
１１              裏蓋ケース
１２，２２        ケース
【図１】
2005259877.tif 000003
【図２】
2005259877.tif 000004
【図３】
2005259877.tif 000005
【図４】
2005259877.tif 000006
【図５】
2005259877.tif 000007
【図６】
2005259877.tif 000008
【図７】
2005259877.tif 000009
【図８】
2005259877.tif 000010
【図９】
2005259877.tif 000011
【図１０】
2005259877.tif 000012
【図１１】
2005259877.tif 000013
【図１２】
2005259877.tif 000014
【図１３】
2005259877.tif 000015
【図１４】
2005259877.tif 000016
【図１５】
2005259877.tif 000017